(57)【要約】【課題】  外鉢内に内鉢を設置して二重カップ構造となし、外鉢の胴部に排水孔を穿設してなる植木鉢があるが、この植木鉢は内鉢に設けた外フランジで外鉢の開口をぴったりと塞ぐようになっているため外鉢と内鉢の間の空気が淀む。【解決手段】  外鉢２内に内鉢３を設置し、内鉢３に用土を入れて植物を植えると共に外鉢２に水を蓄えるようにした植木鉢１において、外鉢２は開口端面が焼成後の歪みを残した状態である陶磁器製とし、一方、内鉢３は全体が陶磁器製で外鉢２の開口部の外側の輪郭とほぼ同じ輪郭を有する外フランジ７を開口端面に備え、その外フランジ７を外鉢２の開口端面に載置することにより外鉢２内面との間に隙間Ｓを保って吊り支えられるようになし、さらに外鉢２の胴部であって内鉢３の胴部の中間に対応する高さに貫通孔１１を穿設すると共に内鉢３に外鉢２の貫通孔３より高所と低所に複数の透孔１０を穿設してなる。【選択図】        図１
2006197885.tif 000002
【特許請求の範囲】
【請求項１】
上面が開口するカップ形態の外鉢内にそれより小さいカップ形態であって上面が開口する内鉢を設置し、内鉢内に水苔や腐葉土等の用土を入れて植物を植えると共に外鉢内に水を蓄えるようにした植木鉢において、
前記外鉢は、少なくとも開口端面が焼成後の歪みを残した状態である陶磁器製とし、
一方、内鉢は、全体が陶磁器製で、前記外鉢の開口部の外側の輪郭とほぼ同じか又はそれより若干大きい輪郭を有する外フランジを開口端面に備え、その外フランジを外鉢の開口端面に載置することにより外鉢内面との間に隙間を保って外鉢内に吊り支えられるようになし、
さらに外鉢の胴部であって前記内鉢の胴部の中間に対応する高さに貫通孔を穿設すると共に内鉢に外鉢の貫通孔より高所と低所に複数の透孔を穿設してなることを特徴とする植木鉢。
【請求項２】
前記外鉢の少なくとも開口端面に施釉し、一方、内鉢の少なくとも外フランジの裏面に施釉してなることを特徴とする請求項１記載の植木鉢。
【発明の詳細な説明】
【技術分野】
【０００１】
本発明は、植物を植える植木鉢に関する。
【背景技術】
【０００２】
図５に示したように、上面が開口するカップ形態の外鉢１００内にそれより小さいカップ形態であって上面が開口する内鉢１０１を設置し、内鉢１０１内に用土１０２を入れて植物を植えると共に外鉢１００内に水１０３を蓄えるようにした二重カップ構造の植木鉢１０４が従来よりある（特許文献１参照）。
【０００３】
前記従来の植木鉢１０４の内鉢１０１は、外鉢１００の開口部の外側の輪郭より若干大きい輪郭を有する外フランジ１０５を開口端面に備え、その外フランジ１０５を外鉢１００の開口端面に載置することにより外鉢１００内面との間に隙間Ｓを保って外鉢１００内に吊り支えられるようになっている。また、外鉢１００には内鉢１０１の底より低所にオーバーフロー用の排水孔１０６が穿設されており、外鉢１００に蓄えた水に内鉢１０１の底が浸からないようになっている。
【特許文献１】特開平９−２８１９４号公報
【発明の開示】
【発明が解決しようとする課題】
【０００４】
従来の植木鉢１０４は、図５に示したように内鉢１０１の外フランジ１０５がキャップ状になっていて、外鉢１００の開口端面をぴったりと塞ぐようになっている。従って外鉢１００と内鉢１０１の間の隙間Ｓに空気を供給する役目は専らオーバーフロー用の排水孔１０６が担うことになるため、排水孔１０６の開口面積をある程度大きく設定する必要がある。
【０００５】
しかして外鉢１００の排水孔１０６の開口面積を大きくするには小さい排水孔１０６を複数設ける方法と、一個の排水孔１０６を大きくする方法があるが、前者の場合には排水孔１０６が人目に付いて目障りであるため、植物が醸し出す自然な雰囲気を壊すおそれがある。一方、後者の場合には、排水孔１０６を背面に向けることにより上記の欠点は解消できるが、排水孔１０６が一個であると隙間Ｓにある空気が対流せずに淀むため新鮮な空気が供給できない問題がある。
【課題を解決するための手段】
【０００６】
上面が開口するカップ形態の外鉢内にそれより小さいカップ形態であって上面が開口する内鉢を設置し、内鉢内に水苔や腐葉土等の用土を入れて植物を植えると共に外鉢内に水を蓄えるようにした植木鉢において、前記外鉢は、少なくとも開口端面が焼成後の歪みを残した状態である陶磁器製とし、一方、内鉢は、全体が陶磁器製で、前記外鉢の開口部の外側の輪郭とほぼ同じか又はそれより若干大きい輪郭を有する外フランジを開口端面に備え、その外フランジを外鉢の開口端面に載置することにより外鉢内面との間に隙間を保って外鉢内に吊り支えられるようになし、さらに外鉢の胴部であって前記内鉢の胴部の中間に対応する高さに貫通孔を穿設すると共に内鉢に外鉢の貫通孔より高所と低所に複数の透孔を穿設してなる植木鉢を提供する。
【０００７】
また、請求項２に記載したように、前記外鉢の少なくとも開口端面に施釉し、一方、内鉢の少なくとも外フランジの裏面に施釉してなる請求項１記載の植木鉢を提供する。
【発明の効果】
【０００８】
前記貫通孔に達するか又はその近くにまで水を入れた外鉢に内鉢を装着すると、内鉢の下半部が水に浸かって水嵩が上がるが、貫通孔より上の水はその貫通孔から外部に排出されるため、最終的な水位は貫通孔のレベルに落ち着く。この状態では内鉢の下半部が水に浸かっているため、その領域にある透孔から用土に水が沁み込む。一方、内鉢の上半部は水に浸かっていないため、その領域にある透孔から用土に空気が供給される。
【０００９】
しかして、一般に陶磁器は焼成に伴う膨脹・収縮等により僅かに歪むため、その歪みを残したままの陶磁器の開口端面に固い陶磁器製の蓋を載せても気密性は保てない。本発明の植木鉢はそのような陶磁器の特徴を利用し、外鉢の開口端面を焼成しっぱなしの状態とし、その上に陶磁器製で固い内鉢の外フランジを載せるようにしたため、内鉢の外フランジと外鉢の開口端面の接触部に気密性がない、換言すると内鉢の外フランジと外鉢の開口端面の接触部に通気性がある。このような内鉢の外フランジと外鉢の開口端面の接触部の自然な通気性により、外鉢の貫通孔から隙間内に入った空気が前記接触部から外部に抜けるか、或はその逆になるため、空気の淀みが生じない。しかも外鉢の開口端面の歪みと言っても肉眼では殆ど判らない程度のものであり、外観上の見苦しさ・不自然さも全くない。
【００１０】
その上さらに内鉢は、外鉢の開口端面に外フランジを単に載せた固定状態にあり、且つ、内鉢の外フランジの輪郭が外鉢の開口部の外側の輪郭とほぼ同じかそれより若干大きいため、外フランジの外周を横から指で挟んで持ち上げるだけで内鉢の着脱が簡単に行える。従って外鉢への水の補充が容易であり、内鉢を着脱する際に誤って外鉢を転倒させるおそれもない。
【００１１】
また、請求項２のように、外鉢の少なくとも開口端面に施釉し、一方、内鉢の少なくとも外フランジの裏面に施釉するようにすれば、前記開口端面と前記外フランジの裏面の硬度が素焼状態より高まるから、通気のための隙間が接触部に出来やすい。
【発明を実施するための最良の形態】
【００１２】
以下に本発明の実施の形態を図面を参照しつつ説明する。なお、図１は縦断面図、図２は分解斜視図、図３は平面図、図４は使用状態を示す斜視図である。
【００１３】
本発明の植木鉢１は、図１，図２に示したように、外鉢２と内鉢３を組み合わせた二重カップ構造である。前記外鉢２は、上面が開口するカップ形態であって、陶磁器製の外鉢本体４の底に高台５を形成し、その高台５の底端面を除く全周に釉薬を塗布して焼成したものである。
【００１４】
一方、内鉢３は、上面が開口するカップ形態であって、前記外鉢２より小さいサイズの内鉢本体６と、その内鉢本体６の開口端面に突設した外フランジ７と、からなる。内鉢３は陶磁器製であって、胴部の下端を底壁８より下げて高台９とし、その高台９の底端面を除く全体に釉薬を塗布して焼成したものである。内鉢３の前記外フランジ７は、外鉢２の開口部の外側の輪郭とほぼ同じか又はそれより若干大きい輪郭を有する。従って図２矢示のように内鉢３を外鉢２に納めると、外フランジ７が外鉢２の開口端面に当たって載るため、内鉢３が外鉢２内面との間に隙間Ｓを保った状態で吊り支えられる。
【００１５】
しかして前記内鉢３には底壁８の全面と、胴部の周方向と高さ方向に複数個の透孔１０，１０…が穿設されている。また、前記外鉢２には胴部に一個の貫通孔１１が穿設されている。この貫通孔１１は前記内鉢３の胴部の中間に対応する高さにあり、内鉢３の前記透孔１０，１０…はその外鉢２の貫通孔１１より高所の上半部にあるものと、低所の下半部にあるものに区分される。
【００１６】
次に本発明の植木鉢１の使用方法について説明する。
まず、図２に二点鎖線で示したように内鉢３内に水苔や腐葉土等の用土１２を入れて適当な植物１３を植え、一方、外鉢２内に貫通孔１１のレベルまで水１４を入れる。次に外鉢２内に内鉢３を装着する。そうすると内鉢３の下半部が水１４に浸かって水嵩が一旦上昇するが、上昇した水１４は外鉢２の貫通孔１１から排出されるため、最終的な水位は貫通孔１１のレベルに落ち着く。この状態では内鉢３の下半部が水１４に浸かっているため、下半部の領域（底壁８を含む）にある透孔１０，１０…から植物１３が必要とする水１４が用土１２内に沁み込む。一方、内鉢３の上半部は水に浸かっていないため、上半部の領域にある透孔１０，１０…から用土１２内に空気が供給される。従って植物１３の栽培に必要な水１４と空気が透孔１０，１０…を介して適度に供給される。
【００１７】
ところで、一般に陶磁器は焼成に伴う膨脹・収縮等により僅かな歪みがあるため、その歪みを残したままの陶磁器の開口端面に固い陶磁器製の蓋を載せても気密性は保てない。本発明の植木鉢１はそのような陶磁器の特徴を利用し、外鉢２の開口端面を焼成しっぱなしの状態とし、その上に陶磁器製で固い内鉢３の外フランジ７を載せるようにしたため、内鉢３の外フランジ７と外鉢２の開口端面の接触部に気密性がない、換言すると内鉢３の外フランジ７と外鉢２の開口端面の接触部に通気性がある。このような内鉢３の外フランジ７と外鉢２の開口端面の接触部の自然な通気性により、外鉢２の貫通孔１１から隙間Ｓ内に入った空気が前記接触部から外部に抜けるか、或はその逆になるため、空気の淀みが生じない。しかも外鉢２の開口端面の歪みと言っても肉眼では殆ど判らない程度のものであり、外観上の見苦しさ・不自然さも全くない。
【００１８】
なお、本発明において施釉する方法には、釉薬を塗ったり吹き付けたりする場合の他、転写紙による釉薬層の形成も含まれる。また、実施形態では、外鉢２の開口端面と内鉢３の外フランジ７の裏面に施釉するようにしたが、釉薬を塗布しないで焼成することも可能である。
【実施例】
【００１９】
図示した構造の植木鉢１を湯飲みサイズにして製造し、内鉢３に用土１２たる水苔を入れて植物１３を植え、外鉢２に貫通孔１１のレベルまで水１４を蓄え、室内環境で植物１３の栽培実験を行った。その結果、一週間に一回、外鉢２に水１４を補充するだけで植物１３の栽培が行えた。
【図面の簡単な説明】
【００２０】
【図１】縦断面図である。
【図２】分解斜視図である。
【図３】平面図である。
【図４】使用状態を示す斜視図である。
【図５】従来の植木鉢を示す縦断面図である。
【符号の説明】
【００２１】
１  …植木鉢
２  …外鉢
３  …内鉢
７  …外フランジ
１０…透孔
１１…貫通孔
１２…用土
１３…植物
１４…水
Ｓ  …隙間
【図１】
2006197885.tif 000003
【図２】
2006197885.tif 000004
【図３】
2006197885.tif 000005
【図４】
2006197885.tif 000006
【図５】
2006197885.tif 000007